(57)【要約】【課題】  汎用性、収納性、美観において優れ、更に使用時の安定性と取り扱い上の利便性を備えた下敷き具の提供。【解決手段】  少なくとも３以上複数の棒状部材１と２本の通し紐部材２とからなり、平行に配した複数の棒状部材１のそれぞれの両端に横方向の貫通穴４を穿設すると共に両外側の棒状部材１ａ、１ｃに挟まれた棒状部材１ｂの両端に横方向の貫通穴４に直交して外方向に抜ける掛止穴５を穿設し、通し紐部材２の一端を棒状部材１ａの端から挿通し棒状部材１ｂの掛止穴５から通し紐部材２を摘み出して通し紐部材２を二つ折りして結束した掛止部３ａを引張り出せるようにし、通し紐部材２の他端をもう一方の外側に配された棒状部材１ｃの貫通穴４に挿通して通し紐部材２の端部に掛止用結び目２ａを設け、平行に配した複数の棒状部材を離間・集束自在に通し紐部材２を挿通して成ることを特徴とする。【選択図】        図１
2006026281.tif 000002
【特許請求の範囲】
【請求項１】
少なくとも３以上複数の棒状部材と２本の通し紐部材とからなり、平行に配した複数の棒状部材のそれぞれの両端に横方向の貫通穴を穿設すると共に両外側の棒状部材に挟まれた真中の棒状部材の両端に横方向の貫通穴に直交する棒状部材の心に沿って外方向に抜ける貫通穴より大径の掛止穴を穿設してＴ字路を形成し、所望長さの通し紐部材の一端を平行に並べた棒状部材の端から挿通し真中の棒状部材の掛止穴から前記通し紐部材の中間部分を摘み出して前記通し紐部材を二つ折りし、該二つ折りした部分を頭形状に結束して掛止部とし、該二つ折りして結束した頭形状の掛止部を引張り出せるようにし、通し紐部材の他端をもう一方の外側に配された棒状部材の貫通穴に挿通して通し紐部材の端部に掛止用結び目を設け、掛止穴を挟んで両側の貫通穴を介し、平行に配した複数の棒状部材を離間・集束自在に前記通し紐部材を挿通して成ることを特徴とする下敷き具。
【発明の詳細な説明】
【技術分野】
【０００１】
本発明は、鍋、食器、茶道具等の下敷きとして広く用いられると同時に美観を有する下敷き具に関する。
【背景技術】
【０００２】
調理に使用する鍋は通常鍋敷きの上に載置する場合、陶器または磁器製の板とコルク板との組合せの鍋敷きが、またコップや茶器等の所謂コースターがある。
【０００３】
また、（１）“蓋のホルダー付き鍋敷き”として、「鍋敷き本体の切り抜き部の一端に、鍋の蓋ホルダーが蝶番によって回動可に軸支されて、その先端には蓋のツマミを掛ける凹部が設けられ、鍋の蓋ホルダーの最大回動角は９０度以上なので蓋の保持は安定であり、不要時には折り畳んで切り抜き部内に収納される。」という公報が開示されている（例えば、特許文献１参照。）。
【０００４】
また、（２）“棒状なべしき”として、「棒状部材の一端に貫通穴を設け、外側棒状部材の最大広がり角度を規制する連結部材が挿通されて成る。」という公報が開示されている（例えば、特許文献２参照。）。
【特許文献１】特開２０００−６０７４９号公報
【特許文献２】実開平３−９９５４２号公報
【発明の開示】
【発明が解決しようとする課題】
【０００５】
しかしながら上述の従来例において、（１）の場合では、実用的ではあるものの、使用しないときの格納方法、美観の点で問題があり、また（２）の場合は、使用時の安定性や、汎用性において、課題が残る。
【０００６】
本発明は、上述の事情に鑑みて成されたもので、汎用性、収納性、美観において優れ、更に使用時の安定性と取り扱い上の利便性を備えた下敷き具を提供することを目的とする。
【課題を解決するための手段】
【０００７】
本発明は、下記構成を備えることにより上記課題を解決できるものである。
【０００８】
（１）少なくとも３以上複数の棒状部材と２本の通し紐部材とからなり、平行に配した複数の棒状部材のそれぞれの両端に横方向の貫通穴を穿設すると共に両外側の棒状部材に挟まれた真中の棒状部材の両端に横方向の貫通穴に直交する棒状部材の心に沿って外方向に抜ける貫通穴より大径の掛止穴を穿設してＴ字路を形成し、所望長さの通し紐部材の一端を平行に並べた棒状部材の端から挿通し真中の棒状部材の掛止穴から前記通し紐部材の中間部分を摘み出して前記通し紐部材を二つ折りし、該二つ折りした部分を頭形状に結束して掛止部とし、該二つ折りして結束した頭形状の掛止部を引張り出せるようにし、通し紐部材の他端をもう一方の外側に配された棒状部材の貫通穴に挿通して通し紐部材の端部に掛止用結び目を設け、掛止穴を挟んで両側の貫通穴を介し、平行に配した複数の棒状部材を離間・集束自在に前記通し紐部材を挿通して成る下敷き具。
【発明の効果】
【０００９】
本発明は、汎用性、収納性、美観において優れ、更に使用時の安定性と取り扱い上の利便性を備えた下敷き具を提供することが出来る。
【発明を実施するための最良の形態】
【００１０】
以下に本発明に係る下敷き具の実施の形態について説明する。
【００１１】
図１（ａ）は、本発明の実施例１における下敷き具の収納時の集束状態の全体構成を示す斜視図、（ｂ）は、使用時の全開状態を示す斜視図、図２は、実施例１における使用時の半開の状態を示す斜視図、図３は、通し紐部材と貫通穴及び掛止穴との係り状況を示す説明図、図４は、外側棒状部材の貫通穴を段付き構造とした一例を示す説明図、（ａ）は貫通穴を臨む側面図、（ｂ）は段付き構造の断面図、図５は、実施例２における下敷き具の収納時の集束状態の全体構成を示す斜視図、（ｂ）使用時の全開状態を示す斜視図である。
【実施例１】
【００１２】
少なくとも３以上複数の棒状部材１（１ａ、１ｂ、１ｃ、）と２本の通し紐部材２、２とからなり、平行に配した複数の棒状部材１のそれぞれの両端に横方向の貫通穴４を穿設すると共に両外側の棒状部材１ａ、１ｃに挟まれた真中の棒状部材１ｂの両端に横方向の貫通穴４に直交する棒状部材１ｃの心に沿って外方向に抜ける貫通穴４より大径の掛止穴５を穿設してＴ字路を形成し、所望長さの通し紐部材２、２の一端を平行に並べた棒状部材１（１ａ，１ｂ，１ｃ）の端から挿通し真中の棒状部材１ｂの掛止穴５から前記通し紐部材２の中間部分を摘み出して前記通し紐部材２を二つ折りして、該二つ折りした部分を頭形状に結束部材３で結束して掛止部３ａとし、該二つ折りして結束した頭形状の掛止部３ａを引張り出せるようにし、通し紐部材２、２の他端をもう一方の外側に配された棒状部材１ｃの貫通穴４に挿通して通し紐部材２、２の端部に掛止用結び目２ａを設け、掛止穴５を挟んで両側の貫通穴４、４を介し、平行に配した複数の棒状部材１（１ａ、１ｂ、１ｃ）を離間・集束自在に前記通し紐部材２、２を挿通して成ることを特徴とする。
【００１３】
上記構成及び図面を参照して作用を説明する。
【００１４】
図１（ａ）、（ｂ）において、下敷き具を構成する複数の棒状部材１（１ａ、１ｂ、１ｃ）は、不使用時には、図１（ａ）に示すように、集束して収納状態にあり、通し紐部材２の部分をキッチン等の壁に設けられたフックに掛けておくことができる。
【００１５】
使用する場合は、壁から外して所望の場所やテーブル上に、両外側の棒状部材１ａ、１ｃを持って矢印Ｙ３、Ｙ４の方向に広げた状態で載置することで下敷き具として扱うことが出来る。使い終わって収納する時には、通し紐部材２、２の頭形状をした掛止部３ａを指先で摘んで引張り出して突出させることで、複数の棒状部材１は集束されて図１（ａ）に示すような状態になる。
【００１６】
図２は、両外側の棒状部材１ａ、１ｃを矢印Ｙ５、Ｙ６の方向に広げて、途中で止めた半開の状態を示した場合である。載置する物が余り大きくない場合は、このように半開の状態で使用することが出来る。
【００１７】
図３は、通し紐部材２と貫通穴４及び掛止穴５との係り状況を示す説明図であり、通し紐部材２の掛止部３ａを摘んで矢印Ｙ１の方向に引っ張って棒状部材を集束した状態において、棒状部材の中での通し紐部材２の納まり具合を透視図的に描いた説明図である。尚、この図で示した通し紐部材２は、本実施例で用いた飾り紐の一種である橙色に染めた縒り紐である。
【００１８】
図４は、外側棒状部材１ａ、１ｃの貫通穴４を段付き構造とした一例を示す説明図であり、（ａ）は貫通穴を臨む側面図、（ｂ）は段付き構造の断面図である。
４ａは、貫通穴４よりも大径の段付き穴部であり、外側棒状部材の外面側が掛止用結び目２ａと係合する大径の段付き穴部となっている。また、真中の棒状部材１ｂの端部が貫通穴４と掛止穴５とでＴ字路を形成していることを示している。
【００１９】
実施例１は、棒状部材１（１ａ、１ｂ、１ｃ）を、断面角形の木質無垢材とした場合で、棒状部材はそれぞれ、例えば黒色、橙色、白色を施して色彩豊かにすることで、飾り物として扱うことが出来る。
【００２０】
また、本実施例では、断面を正方形としたが、限定されるものではなく、任意形状とすることが出来る。
【実施例２】
【００２１】
実施例２は、図５（ａ）、（ｂ）に示したように、載置する物、例えば鍋の底形状に係合する凹部を設けた場合である。棒状部材が３本の場合を図示してあるが、この場合、真中の棒状部材２１ｂの上面に長手方向の鍋底に係合する所望の凹部ロを切欠き、両外側の棒状部材２１ａ、２１ｃの内側に鍋底の外周縁部が係合する三日月状の凹部イ、イを切欠き、それぞれ対向して設けた一例である。
【００２２】
尚、凹部の形状は、鍋底の円形に限定するものではなく、載置するものに適した任意の形状とすることが出来る。
【００２３】
尚また、棒状部材の形状は、管状体としてもよく、断面は、丸、角、など任意形状を選択することが出来る。
【００２４】
更に尚、本実施例では、両外側棒状部材１ａ、１ｃ、２１ａ、２１ｃの貫通穴４に大径の段付き穴部４ａを設けて通し紐部材２の端部の掛止用結び目２ａが係合して納まるようにしたが、掛止用結び目２ａを飾りものとして、敢えて段付き穴４ａを設けず、貫通穴４のみとしても良い。
【図面の簡単な説明】
【００２５】
【図１】（ａ）本発明の実施例１における下敷き具の収納時の集束状態の全体構成を示す斜視図、（ｂ）使用時の全開状態を示す斜視図
【図２】実施例１における使用時の半開の状態を示す斜視図
【図３】通し紐部材と貫通穴及び掛止穴との係り状況を示す説明図
【図４】外側棒状部材の貫通穴を段付き構造とした一例を示す説明図、（ａ）貫通穴を臨む側面図、（ｂ）段付き構造の断面図
【図５】実施例２における下敷き具の収納時の集束状態の全体構成を示す斜視図、（ｂ）使用時の全開状態を示す斜視図
【符号の説明】
【００２６】
１  棒状部材
１ａ、１ｃ  外側の棒状部材
１ｂ  真中の棒状部材
２  通し紐部材
２ａ  掛止用結び目
３  結束部材
３ａ  掛止部
４  貫通穴
４ａ  段付き穴部
５  掛止穴
２１ａ、２１ｃ  外側の棒状部材
２１ｂ  真中の棒状部材
イ  三日月状の凹部
ロ  凹部
【図１】
2006026281.tif 000003
【図２】
2006026281.tif 000004
【図３】
2006026281.tif 000005
【図４】
2006026281.tif 000006
【図５】
2006026281.tif 000007